(57)【要約】【課題】スクリーンの端縁の破損を防止できるブラインドを提供する。【解決手段】ブラインド１０は、折り畳み可能な襞付きスクリーン１１と一対のフレーム２１・２１を備える。スクリーン１１は、その一端部をヘッドボックスＢｈが支持している。スクリーン１１は、六角形の外周を形成した複数の管状部材１１ｔを一方向に連設している。又、スクリーン１１は、室内Ｒｉ側及び室外Ｒｏ側に向けて屈曲した複数の襞Ｐｔを連続して形成している。スクリーン１１は、その背面側に形成し、複数の襞Ｐｔを跨いた状態で、スクリーン１１の全長に亘り形成した切り欠き部１１ｄを有する。一対のフレーム２１・２１は、開口部Ａｐの縁部に固定している。フレーム２１は、その一部が切り欠き部１１ｄと挿通自在に係合している。【選択図】図２
2020105737.tif 000002
【特許請求の範囲】
【請求項１】
開口部に固定した支持部材、及び、前記支持部材が一端部を支持すると共に、開口部の前後方向に向けて屈曲した複数の襞を連続して形成することで、折り畳み可能なスクリーンを備えるブラインドであって、
前記開口部の縁部に固定したフレームを更に備え、
前記スクリーンは、その背面側に形成し、複数の前記襞を跨いた状態で、スクリーンの全長に亘り形成した切り欠き部を有し、
前記フレームは、その一部が前記切り欠き部と挿通自在に係合している、ブラインド。
【請求項２】
前記フレームは、
前記開口部の縁部に固定したベース部と、
手前側に向って突出した支持片と、
前記ベース部と前記支持片を繋ぐ繋ぎ片と、を有し、
前記支持片は、前記切り欠き部と挿通自在に係合している、請求項１記載のブラインド。
【請求項３】
前記支持片の先端部と前記切り欠き部は、互いに係合し、前記スクリーンが所定量以上前方又は後方に向けて移動することを規制する規制手段を有している、請求項２記載のブラインド。
【請求項４】
前記切り欠き部は、
前記襞の頂点から前記スクリーンの中心に向かって所定幅で切り欠いた第１挿通部と、
前記第１挿通部よりも前記スクリーンの中心寄りに形成すると共に、前記第１挿通部より幅広の第２挿通部と、を有し、
前記支持片は、膨大部を先端部に有し、
前記第２挿通部と前記膨大部は、互いに係合する前記規制手段を構成している、請求項３記載のブラインド。
【請求項５】
前記フレームは、前記スクリーンの長手方向に沿って、前記支持片の位置を調整可能とする位置調整手段を前記繋ぎ片に有している、請求項２から４のいずれかに記載のブラインド。
【請求項６】
前記スクリーンは、六角形の外周を形成した複数の管状部材を一方向に連設してなり、
前記スクリーンは、後方に向う第１面と前方に向う第２面を有し、
前記切り欠き部は、前記第１面に形成している、請求項１から５のいずれかに記載のブラインド。
【発明の詳細な説明】
【技術分野】
【０００１】
本発明は、ブラインドに関する。特に、窓ガラス又は室内空間の仕切りなどによって形成される開口部から通過する光又は熱エネルギーを効果的に遮断するブラインドの構造に関する。
【背景技術】
【０００２】
六角形の外周を形成した複数の管状部材を一方向に連設し、長さ方向に伸縮自在であり、襞（プリーツ）を形成したスクリーンを備えたブラインドが知られている。前述したスクリーンは、その形状が蜂の巣に類似していることから、例えば、ハニカムスクリーンと呼ばれている。
【０００３】
ハニカムスクリーンは、引き延ばしたときに、遮光性能が優れると共に、管状部材の内部に空気層を有するので、断熱性能が優れているという特徴がある。
【０００４】
例えば、窓ガラスなどの開口部の縁部とハニカムスクリーンの端縁の間の隙間を覆うことで、この隙間から光又は熱エネルギーが通過すること防止したブラインドが開示されている（例えば、特許文献１参照）。
【先行技術文献】
【特許文献】
【０００５】
【特許文献１】欧州特許出願公開第２３９５１９４号明細書
【発明の概要】
【発明が解決しようとする課題】
【０００６】
図１７は、従来技術によるブラインドの構成を示す斜視分解組立図である。図１８は、従来技術によるブラインドの構成を示す斜視図である。なお、本願の図１７と図１８は、特許文献１の図１と図２に相当している。
【０００７】
図１７又は図１８を参照すると、従来技術によるブラインド９は、伸縮自在な襞付きスクリーン（以下、プリーツスクリーンという）９１と、Ｔ形の断面を形成した一つ以上のキー手段となる縦長のフレーム９２と、を備えている。
【０００８】
図１７を参照すると、フレーム９２は、ウエッブ９２ｗとフランジ９２ｆを有している。ウエッブ９２ｗとフランジ９２ｆは、略直交している。フランジ９２ｆは、ウエッブ９２ｗと反対側に平坦面を形成している。
【０００９】
図１７又は図１８を参照すると、プリーツスクリーン９１は、六角形の外周を形成した複数の管状部材９１ｔを一方向に連設している。伸縮自在なプリーツスクリーン９１を創り出すために、複数の管状部材９１ｔは、一方の天面と他の管状部材９１ｔの底面を互いに結合している。
【００１０】
図１７又は図１８を参照すると、プリーツスクリーン９１を最下端の位置に延ばしたときには、プリーツスクリーン９１は、開口部Ａｐ又は窓ガラスＷｐを略完全に覆う拡張幅を有している。プリーツスクリーン９１を拡張したときに、開口部Ａｐを区画する枠板Ｆｗの天面部（図示せず）から枠板Ｆｗの底部Ｆｂの拡張幅を覆うために、プリーツスクリーン９１は、単位の管状部材９１ｔを多数含まねばならない、ということもできる。
【００１１】
図１７又は図１８を参照して、プリーツスクリーン９１を下げたときには、管状部材９１ｔは、室外側に向うプリーツスクリーン９１の第１面９１ａと室内側に向うプリーツスクリーン９１の第２面９１ｂが対向した状態になるように、規定している。
【００１２】
図１７又は図１８を参照すると、説明のために、プリーツスクリーン９１は、一方の端面のみを図示している。プリーツスクリーン９１は、他方の端縁も形成している。そして、プリーツスクリーン９１は、スロット９１ｓを両端縁に形成することが好ましい。
【００１３】
図１７又は図１８を参照すると、スロット９１ｓは、図示しない適切なパンチ金型によって、例えば、２ｃｍの深さに切り込みできる。パンチ金型は、管状部材９１ｔの一方の端縁から打ち抜いている。
【００１４】
又、図１７又は図１８を参照すると、プリーツスクリーン９１は、最下端部にボトムレールＲｂを備えている。又、プリーツスクリーン９１は、図示しない天面部に取り付けできるトップレール（図示せず）を備えている。
【００１５】
図１８を参照すると、フレーム９２の組立状態では、フレーム９２は、例えば、接着手段により、枠板Ｆｗの垂直部Ｆｖに取り付けられている。この接合手段は、ねじ又は釘を使うことができる。
【００１６】
図１８を参照すると、フレーム９２のウエッブ９２ｗは、二重壁面を形成したプリーツスクリーン９１の端縁からスロット９１ｓに対向した状態で突出している。プリーツスクリーン９１の対向する両端縁は、同じ方法で配列されている。この方法は、窓ガラスＷｐの前面に垂直方向に昇降できるように、ウエッブ９２ｗによって、案内されることを可能にしている。そして、遮光が必要な場合には、窓ガラスＷｐを覆うことができる。
【００１７】
図１８を参照すると、プリーツスクリーン９１を拡げた状態では、枠板Ｆｗのウエッブ９２ｗは可視できない。ウエッブ９２ｗは、スロット９１ｓの内部に係合している。又、ウエッブ９２ｗは、第１面９１ａと第２面９１ｂの間に隠されている。これにより、ウエッブ９２ｗは、入射光を遮蔽できる。又、ウエッブ９２ｗは、枠板Ｆｗを介して放出される不適合な反射光を遮蔽できる。枠板Ｆｗとプリーツスクリーン９１の端縁との隙間は、十分小さい。
【００１８】
図１７又は図１８を参照すると、特許文献１によるブラインド９は、管状部材９１ｔの一方の天面と他の管状部材９１ｔの底面を連結した六角形状のハニカム断面を有する管状部材９１ｔを連設したプリーツスクリーン９１を備えている。プリーツスクリーン９１は、窓ガラスＷｐなどの開口部Ａｐを遮蔽可能としている。
【００１９】
又、図１７又は図１８を参照すると、特許文献１によるブラインド９は、Ｔ形の断面を形成した一つ以上のキー手段となる縦長のフレーム９２を備えている。フレーム９２は、開口部Ａｐを形成する枠板Ｆｗに取り付けている。そして、フレーム９２は、枠板Ｆｗとプリーツスクリーン９１の少なくとも一方の端縁との間の隙間を通過する光を遮蔽できる。
【００２０】
図１７又は図１８を参照すると、特許文献１によるブラインド９は、プリーツスクリーン９１の端縁から内部に向って切り欠いたスロット９１ｓを有している。スロット９１ｓは、フレーム９２のウエッブ９２ｗと係合している。
【００２１】
図１７又は図１８を参照すると、特許文献１によるブラインド９は、プリーツスクリーン９１を下降させて開口部を覆うことで開口部から光が通過することを防止しできる、という特徴を有している。又、フレーム９２は、プリーツスクリーン９１の室内側から見えないため、特許文献１によるブラインド９は、意匠性に優れるという特徴を有している。
【００２２】
しかしながら、特許文献１によるブラインド９は、プリーツスクリーン９１の端縁から内部に向って切り欠いたスロット９１ｓを形成しているので、キー手段となるフレーム９２からプリーツスクリーン９１の端縁に負荷が作用し、プリーツスクリーン９１が破損し易くなるという課題があった。
【００２３】
又、特許文献１によるブラインド９は、プリーツスクリーン９１が風に煽られるなどにより、スロット９１ｓから枠板Ｆｗのウエッブ９２ｗが相対的に外れてしまった場合には、スロット９１ｓとウエッブ９２ｗを元の係合状態に復元することが難しいという課題もあった。
【００２４】
更に、特許文献１によるブラインド９は、管状部材９１ｔの一方の天面と他の管状部材９１ｔの底面を接着することにより、複数の管状部材９１ｔを連設しているので、管状部材９１ｔの端縁から内部に向ってスロット９１ｓを切り欠くと、接着部分が剥がれ易くなり、プリーツスクリーン９１が破損し易くなるという課題もあった。
【００２５】
スクリーンの端縁と開口部との間からの光漏れや熱の流出入を防止でき、かつ、スクリーンの端縁の破損を防止できるブラインドが求められている。そして、以上のことが本発明の課題といってよい。
【００２６】
本発明は、このような課題に鑑みてなされたものであり、スクリーンの端縁と開口部との間からの光漏れや熱の流出入を防止でき、かつ、スクリーンの端縁の破損を防止できるブラインドを提供することを目的とする。
【課題を解決するための手段】
【００２７】
本発明者は、スクリーンの背面側には、襞を跨ぐようにスクリーン全長にわたって切り欠き部を形成し、切り欠き部にフレームの一部を挿通させることで、スクリーンの端縁と開口部との間からの光漏れや熱の流出入を防止し、かつ、スクリーンの端縁の破損を防止できることができると考え、これに基づいて、以下のような新たなブラインドを発明するに至った。
【００２８】
（１）本発明によるブラインドは、開口部に固定した支持部材、及び、前記支持部材が一端部を支持すると共に、開口部の前後方向に向けて屈曲した複数の襞を連続して形成することで、折り畳み可能なスクリーンを備えるブラインドであって、前記開口部の縁部に固定したフレームを更に備え、前記スクリーンは、その背面側に形成し、複数の前記襞を跨いた状態で、スクリーンの全長に亘り形成した切り欠き部を有し、前記フレームは、その一部が前記切り欠き部と挿通自在に係合している。
【００２９】
（２）前記フレームは、前記開口部の縁部に固定したベース部と、手前側に向って突出した支持片と、前記ベース部と前記支持片を繋ぐ繋ぎ片と、を有し、前記支持片は、前記切り欠き部と挿通自在に係合していることが好ましい。
【００３０】
（３）前記支持片の先端部と前記切り欠き部は、互いに係合し、前記スクリーンが所定量以上前方又は後方に向けて移動することを規制する規制手段を有していることが好ましい。
【００３１】
（４）前記切り欠き部は、前記襞の頂点から前記スクリーンの中心に向かって所定幅で切り欠いた第１挿通部と、前記第１挿通部よりも前記スクリーンの中心寄りに形成すると共に、前記第１挿通部より幅広の第２挿通部と、を有し、前記支持片は、膨大部を先端部に有し、前記第２挿通部と前記膨大部は、互いに係合する前記規制手段を構成していることが好ましい。
【００３２】
（５）前記フレームは、前記スクリーンの長手方向に沿って、前記支持片の位置を調整可能とする位置調整手段を前記繋ぎ片に有していてもよい。
【００３３】
（６）前記スクリーンは、六角形の外周を形成した複数の管状部材を一方向に連設してなり、前記スクリーンは、後方に向う第１面と前方に向う第２面を有し、前記切り欠き部は、前記第１面に形成していることが好ましい。
【発明の効果】
【００３４】
本発明によるブラインドは、スクリーンの背面側には、襞を跨ぐようにスクリーンの全長にわたって切り欠き部を形成し、切り欠き部にフレームの一部を挿通させることで、スクリーンの端縁と開口部との間からの光漏れや熱の流出入を防止し、かつ、スクリーンの端縁の破損を防止できる。
【図面の簡単な説明】
【００３５】
【図１】本発明の第１実施形態によるブラインドの全体構成を示す正面図である。
【図２】第１実施形態によるブラインドの全体構成を示す右側面図である。
【図３】第１実施形態によるブラインドの全体構成を示す背面図であり、スクリーンを下降した状態図である。
【図４】第１実施形態によるブラインドの全体構成を示す正面図であり、スクリーンを上昇した状態図である。
【図５】第１実施形態によるブラインドの一部を拡大した斜視図であり、図５（Ａ）は、ブラインドに備わるフレームの上部と支持部材となるヘッドボックスが係合する前の状態図、図５（Ａ）は、フレームの上部とヘッドボックスが係合した状態図である。
【図６Ａ】第１実施形態によるブラインドの要部を拡大した斜視分解組立図である。
【図６Ｂ】切欠き部を接合部まで切り欠いた図６Ａの変形例であり、支持片と切欠き部とが係合した状態を示す縦断面図である。
【図７】第１実施形態によるブラインドの要部を拡大した平面図であり、図７（Ａ）は、スクリーンを上昇してスクリーンを厚さ方向に拡大した状態図、図７（Ｂ）は、スクリーンを下降してスクリーンを厚さ方向に縮小した状態図である。
【図８】第１実施形態によるブラインドの要部を拡大した断面図であり、図８（Ａ）は、図７（Ａ）のＡ−Ａ矢視断面図、図８（Ｂ）は、図７（Ｂ）のＣ−Ｃ矢視断面図である。
【図９】第１実施形態によるブラインドの要部を拡大した断面図であり、図９（Ａ）は、図７（Ａ）のＢ−Ｂ矢視断面図、図９（Ｂ）は、図７（Ｂ）のＤ−Ｄ矢視断面図である。
【図１０】本発明の第２実施形態によるブラインドの要部を拡大した斜視分解組立図である。
【図１１】第２実施形態によるブラインドの要部を拡大した平面図であり、図１１（Ａ）は、スクリーンを上昇してスクリーンを厚さ方向に拡大した状態図、図１１（Ｂ）は、スクリーンを下降してスクリーンを厚さ方向に縮小した状態図である。
【図１２】本発明の第３実施形態によるブラインドの要部を拡大した平面図であり、図１２（Ａ）は、スクリーンを上昇してスクリーンを厚さ方向に拡大した状態図、図１２（Ｂ）は、スクリーンを下降してスクリーンを厚さ方向に縮小した状態図である。
【図１３】本発明の第４実施形態によるブラインドの要部を拡大した平面図であり、図１３（Ａ）は、スクリーンを上昇してスクリーンを厚さ方向に拡大した状態図、図１３（Ｂ）は、スクリーンを下降してスクリーンを厚さ方向に縮小した状態図である。
【図１４】本発明の第５実施形態によるブラインドの要部を拡大した平面図であり、図１４（Ａ）は、開口部の縁部とスクリーンの端縁との隙間が小さい状態図、図１４（Ｂ）は、開口部の縁部とスクリーンの端縁との隙間が大きい状態図である。
【図１５】本発明の第６実施形態によるブラインドの要部を拡大した斜視分解組立図である。
【図１６】第６実施形態によるブラインドの全体構成を示す右側面図である。
【図１７】従来技術によるブラインドの構成を示す斜視分解組立図である。
【図１８】従来技術によるブラインドの構成を示す斜視図である。
【発明を実施するための形態】
【００３６】
以下、図面を参照して本発明を実施するための形態を説明する。
【００３７】
［第１実施形態］
（ブラインドの構成）
（全体構成）
最初に、本発明の第１実施形態によるブラインドの全体構成を説明する。なお、従来技術で付した符号と同じ符号を付した構成品は、その作用を同じにするので、以下、説明を省略することがある。
【００３８】
図１から図４を参照すると、本発明の第１実施形態によるブラインド１０は、伸縮自在な折り畳み可能な襞付きスクリーン（ハニカムスクリーン）１１と、Ｚ形の断面を形成した一対の縦長のフレーム２１・２１と、を備えている。
【００３９】
図２又は図５、図６Ａ及び図６Ｂを参照すると、スクリーン１１は、六角形の外周を形成した複数の管状部材１１ｔを一方向に連設している。伸縮自在なスクリーン１１を創り出すために、複数の管状部材１１ｔは、一方の天面と他の管状部材１１ｔの底面を互いに結合している。一方の管状部材１１ｔの天面と他の管状部材１１ｔの底面は、例えば、接着により接合されている。
【００４０】
図２を参照すると、矩形の開口部Ａｐには、窓ガラスＷｐが嵌め込まれている。窓ガラスＷｐは、室内Ｒｉ側と室外Ｒｏ側を仕切っている。スクリーン１１は、窓ガラスＷｐと対向するように、室内Ｒｉ側に配置している。そして、スクリーン１１は、室内Ｒｉ側及び室外Ｒｏ側（開口部Ａｐの前後方向）に向けて屈曲した複数の襞Ｐｔを連続して形成している。
【００４１】
図５から図９を参照すると、フレーム２１は、ベース部２１１、繋ぎ片２１２、及び、支持片２１３を有している。ベース部２１１は、ねじ部材Ｓｃなどを用いて（図７参照）、開口部Ａｐの縁部に固定できる。支持片２１３は、室内Ｒｉ側に向って突出している。繋ぎ片２１２は、ベース部２１１と支持片２１３を繋いでいる。実施の形態では、繋ぎ片２１２は、ベース部２１１の端部から起立している。支持片２１３は、繋ぎ片２１２の先端部からベース部２１１と反対方向に連続して突出している。フレーム２１は、繋ぎ片２１２の上端部付近に支持片２１３が形成されない切欠き空間を有し、支持片２１３の上方に形成される切欠き空間にヘッドボックスＢｈ端部を配置する。
【００４２】
図１から図４を参照すると、スクリーン１１は、その一端部を支持部材となるヘッドボックスＢｈが支持している。又、スクリーン１１は、その他端部にボトムレールＲｂを取り付けている。スクリーン１１を拡げると、開口部Ａｐを閉鎖できる（図１参照）。ヘッドボックスＢｈに向って、スクリーン１１を折り畳むと、開口部Ａｐを開放できる（図４参照）。
【００４３】
図１を参照すると、一対のフレーム２１・２１は、スクリーン１１の端縁と開口部Ａｐの縁部との隙間Ｇｐを閉鎖している。又、図５を参照すると、一対のフレーム２１・２１は、ヘッドボックスＢｈの端面と開口部Ａｐの縁部との隙間を閉鎖している。これにより、スクリーン１１を拡げた状態では（図１から図３参照）、ブラインド１０は、窓ガラスＷｐなどの開口部Ａｐから通過する光又は熱エネルギーを効果的に遮断できる。
【００４４】
図６Ａ又は図７を参照すると、スクリーン１１は、その背面側に複数の切り欠き部１１ｄを有している。これらの切り欠き部１１ｄは、複数の襞Ｐｔを跨いた状態で、スクリーン１１の全長に亘り形成している。一方、フレーム２１は、その支持片２１３が複数の切り欠き部１１ｄと挿通自在に係合している（図７参照）。
【００４５】
図１から図９を参照すると、第１実施形態によるブラインド１０は、スクリーン１１の背面側には、襞Ｐｔを跨ぐようにスクリーン１１の全長に亘って複数の切り欠き部１１ｄを形成している。そして、これらの切り欠き部１１ｄにフレーム２１の一部（支持片２１３）を挿通させることで、スクリーン１１の端縁と開口部Ａｐとの間からの光漏れや熱の流出入を防止し、かつ、スクリーン１１の端縁の破損を防止できる。
【００４６】
又、図１から図９を参照すると、第１実施形態によるブラインド１０は、スクリーン１１が風や急激な開閉操作などによって煽られても、室内Ｒｉ側に外れたスクリーン１１を室外Ｒｏ側に戻すだけで、フレーム２１の一部（支持片２１３）を切り欠き部１１ｄに挿通する状態に戻すことができる。
【００４７】
図６Ａ又は図７を参照すると、切り欠き部１１ｄは、第１挿通部１１ｉと規制手段となる第２挿通部１１ｊを有している。第１挿通部１１ｉは、襞Ｐｔの頂点からスクリーン１１の中心に向かって所定幅で切り欠いている。第２挿通部１１ｊは、第１挿通部１１ｉよりもスクリーン１１の中心寄りに形成すると共に、第１挿通部１１ｉより幅広に形成している。なお、図６Ｂに示すように、切り欠き部１１ｄは、襞Ｐｔの頂点からスクリーン１１の中心に向かって上下の管状部材１１ｔ、１１ｔ同士の接合部の手前又は接合部にかかる程度まで切り欠いてもよく、フレーム２１の支持片２１３の端部が接合部まで係合することで、スクリーン１１の背面側とフレーム２１間の隙間が極小化又は閉塞され、熱エネルギーの遮断性能を更に高めることができる。
【００４８】
一方、図６Ａ又は図７を参照すると、支持片２１３は、規制手段となる膨大部２１ｅを先端部に形成している。図７を参照して、第２挿通部１１ｊと膨大部２１ｅが互いに係合することで、スクリーン１１が所定量以上、室内Ｒｉ側又は室外Ｒｏ側に向けて移動することを規制できる。
【００４９】
（ヘッドボックスの構成）
次に、支持部材となるヘッドボックスＢｈの構成を説明する。図１から図４を参照すると、ブラインド１０は、Ｃ形チャンネル状のヘッドボックスＢｈを上部に取り付けている。ヘッドボックスＢｈは、一組の昇降コードＣｒ・Ｃｒを介して、ボトムレールＲｂを吊り下げている。
【００５０】
図２を参照すると、一組の昇降コードＣｒ・Ｃｒは、複数の管状部材１１ｔの内部を挿通しており、一組の昇降コードＣｒ・Ｃｒは、スクリーン１１の外面が見えない構成になっている。このように、ブラインド１０は、美観に優れている。
【００５１】
図１から図４を参照すると、ヘッドボックスＢｈは、操作コードＣｈを介して、スクリーン１１を昇降するためのメカニズムを内部に配置している。ブラケットＢｒを用いて、ヘッドボックスＢｈを二点以上支持すると共に、ブラケットＢｒを開口部の上面に固定することで、ブラインド９を窓ガラスＷｐの内側に配置できる（図２参照）。
【００５２】
図１又は図２及び図４を参照すると、ヘッドボックスＢｈは、一組の巻取ドラムＤｒ・Ｄｒ、回転軸Ｓｒ、及び、操作ユニットＵｄを内部に配置している。操作ユニットＵｄは、回転軸Ｓｒを介して、巻取ドラムＤｒを回転することで、スクリーン１１を昇降自在に開閉できる。
【００５３】
図１又は図２及び図４を参照すると、回転軸Ｓｒは、操作ユニットＵｄと連動して回転できる。巻取ドラムＤｒは、回転軸Ｓｒから回転を伝動される。又、巻取ドラムＤｒは、スクリーン１１を昇降させる昇降コードＣｒを巻取り又は巻解き自在に係留している。操作ユニットＵｄは、回転軸Ｓｒ側から伝動される昇降コードＣｒの巻解き方向の回転を阻止可能なクラッチ（図示せず）を内部に備えている。
【００５４】
図１又は図２及び図４を参照すると、巻取ドラムＤｒの中心部には、回転軸Ｓｒが固定又は嵌合している。又、回転軸Ｓｒは、その一方の端部を操作ユニットＵｄに連結している。操作ユニットＵｄは、図示しないプーリを回転軸Ｓｒと反対側に取り付けている。
【００５５】
図１又は図４を参照すると、図示しないプーリには、操作コードＣｈを巻き掛けしている。操作ユニットＵｄは、図示しないプーリを介して、操作コードＣｈの操作による回転を回転軸Ｓｒに伝動できるが、回転軸Ｓｒからの回転が阻止されるように構成している。
【００５６】
図１又は図２及び図４を参照して、回転軸Ｓｒが一方の方向に連続して回転するように、操作コードＣｈを操作すると、巻取ドラムＤｒが昇降コードＣｒを巻き取ることで、ヘッドボックスＢｈに向って、スクリーン１１を折り畳むことができる（図４参照）。
【００５７】
一方、図１又は図２及び図４を参照して、回転軸Ｓｒが一方の方向に所定角度範囲で回転するように、操作コードＣｈを操作すると、操作ユニットＵｄの内部のクラッチが外れる。そして、回転軸Ｓｒに対して他方の方向への回転を許容されると、複数の管状部材１１ｔ及びボトムレールＲｂの自重で、昇降コードＣｒが巻取ドラムＤｒを巻き戻すことで、スクリーン１１を拡げることができる（図１から図３参照）。
【００５８】
（ブラインドの作用）
次に、第１実施形態によるブラインド１０の作用及び効果を説明する。図１から図９を参照すると、第１実施形態によるブラインド１０は、スクリーン１１の背面側には、襞Ｐｔを跨ぐようにスクリーン１１の全長に亘って複数の切り欠き部１１ｄを形成している。そして、これらの切り欠き部１１ｄにフレーム２１の一部（支持片２１３）を挿通させることで、スクリーン１１の端縁と開口部Ａｐとの間からの光漏れや熱の流出入を防止し、かつ、スクリーン１１の端縁の破損を防止できる。
【００５９】
又、図１から図９を参照すると、第１実施形態によるブラインド１０は、スクリーン１１が風や急激な開閉操作などによって煽られても、手前側に外れたスクリーン１１を奥側に戻すだけで、フレーム２１の一部（支持片２１３）を切り欠き部１１ｄに挿通する状態に戻すことができる。
【００６０】
図１から図９を参照して、第１実施形態によるブラインド１０は、スクリーン１１をハニカムスクリーンで構成した場合には、上下の管状部材１１ｔの接着部分には、切り欠き部１１ｄを形成していないので、スクリーン１１の耐久性を向上できる。
【００６１】
又、図１から図９を参照すると、第１実施形態によるブラインド１０は、支持片２１３の先端部と切り欠き部１１ｄは、互いに係合し、スクリーン１１が所定量以上、室内Ｒｉ側又は室外Ｒｏ側に向けて移動することを規制する規制手段を有しているので、スクリーン１１の伸張長さが決定し、襞Ｐｔ間のピッチ（管状部材間のピッチ、プリーツピッチ）を上下方向で均一化できる。
【００６２】
更に、図６Ａ又は図７を参照すると、第１実施形態によるブラインド１０は、第２挿通部１１ｊと膨大部２１ｅによって規制手段を構成することで、スクリーン１１が前後方向に移動することを規制し、スクリーン１１が風や急激な開閉操作などによって煽られても支持片２１３から外れ難くなる、という効果がある。
【００６３】
［第２実施形態］
（ブラインドの構成）
次に、本発明の第２実施形態によるブラインドの構成を説明する。図１０又は図１１を参照すると、本発明の第２実施形態によるブラインド２０は、伸縮自在な折り畳み可能な襞付きスクリーン（ハニカムスクリーン）１２と、Ｚ形の断面を形成した一対の縦長のフレーム２２・２２と、を備えている。
【００６４】
図１０を参照すると、スクリーン１２は、六角形の外周を形成した複数の管状部材１２ｔを一方向に連設している。伸縮自在なスクリーン１２を創り出すために、複数の管状部材１２ｔは、一方の天面と他の管状部材１２ｔの底面を互いに結合している。一方の管状部材１２ｔの天面と他の管状部材１２ｔの底面は、例えば、接着により接合されている。スクリーン１２は、室内Ｒｉ側及び室外Ｒｏ側に向けて屈曲した複数の襞Ｐｔを連続して形成している。
【００６５】
図１０又は図１１を参照すると、フレーム２２は、ベース部２２１、繋ぎ片２２２、及び、支持片２２３を有している。ベース部２２１は、ねじ部材Ｓｃなどを用いて（図１１参照）、開口部Ａｐの縁部に固定できる。繋ぎ片２２２は、ベース部２２１の端部から起立している。支持片２２３は、繋ぎ片２２２の先端部からベース部２２１と反対方向に連続して突出している。
【００６６】
図１０又は図１１を参照すると、スクリーン１２は、その背面側に複数の切り欠き部１２ｄを有している。これらの切り欠き部１２ｄは、複数の襞Ｐｔを跨いた状態で、スクリーン１２の全長に亘り形成している。一方、フレーム２２は、その支持片２２３が複数の切り欠き部１２ｄと挿通自在に係合している（図７参照）。
【００６７】
図１０又は図１１を参照すると、第２実施形態によるブラインド２０は、スクリーン１２の背面側には、襞Ｐｔを跨ぐようにスクリーン１２の全長に亘って複数の切り欠き部１２ｄを形成している。そして、これらの切り欠き部１２ｄにフレーム２２の一部（支持片２２３）を挿通させることで、スクリーン１２の端縁と開口部Ａｐとの間からの光漏れや熱の流出入を防止し、かつ、スクリーン１２の端縁の破損を防止できる。
【００６８】
図１０又は図１１を参照すると、切り欠き部１２ｄは、第１実施形態による切り欠き部１１ｄと異なり、第１挿通部１１ｉより幅広の第２挿通部１１ｊを形成していない。又、支持片２２３は、第１実施形態による支持片２１３と異なり、支持片２２３の先端部に膨大部を形成していない。第２実施形態によるブラインド２０は、スクリーン１２の背面側の切り欠き部１２ｄにフレーム２２の支持片２２３を挿通し易いという特徴がある。
【００６９】
（ブラインドの作用）
次に、第２実施形態によるブラインド２０の作用及び効果を説明する。第２実施形態によるブラインド２０は、第１実施形態によるブラインド１０と同様な効果を奏するが、第２実施形態によるブラインド２０は、スクリーン１２の背面側の切り欠き部１２ｄにフレーム２２の支持片２２３を挿通し易いという特別な効果がある。
【００７０】
［第３実施形態］
（ブラインドの構成）
次に、本発明の第３実施形態によるブラインドの全体構成を説明する。図１２を参照すると、本発明の第３実施形態によるブラインド３０は、伸縮自在な折り畳み可能な襞付きスクリーン（ハニカムスクリーン）１３と、Ｚ形の断面を形成した一対の縦長のフレーム２１・２１と、を備えている。
【００７１】
図１２を参照すると、スクリーン１３は、六角形の外周を形成した複数の管状部材１３ｔを一方向に連設している。伸縮自在なスクリーン１３を創り出すために、複数の管状部材１３ｔは、一方の天面と他の管状部材１３ｔの底面を互いに結合している。一方の管状部材１３ｔの天面と他の管状部材１３ｔの底面は、例えば、接着により接合されている。
【００７２】
図１２を参照すると、スクリーン１３は、その背面側に複数の切り欠き部１３ｄを有している。これらの切り欠き部１３ｄは、複数の襞Ｐｔを跨いた状態で、スクリーン１３の全長に亘り形成している。一方、フレーム２１は、その支持片２１３が複数の切り欠き部１３ｄと挿通自在に係合している。
【００７３】
図１２を参照すると、切り欠き部１３ｄは、第１挿通部１３ｉと規制手段となる第２挿通部１３ｊを有している。第１挿通部１３ｉは、襞Ｐｔの頂点からスクリーン１３の中心に向かって所定幅で切り欠いている。第２挿通部１３ｊは、第１挿通部１３ｉよりもスクリーン１３の中心寄りに形成すると共に、第１挿通部１３ｉより幅広に形成している。
【００７４】
図７と図１２を対比すると、第１実施形態による第２挿通部１１ｊは、長円形で形成しているのに対し、第３実施形態による第２挿通部１３ｊは、略円形に形成しているという違いがある。これにより、第２挿通部１３ｊの径を膨大部２１ｅよりも比較的大きく形成できるようになり、スクリーン１３の開閉時における支持片２１３（膨大部２１ｅ）と第２挿通部１３ｊとの干渉を軽減できるという特徴がある。
【００７５】
［第４実施形態］
（ブラインドの構成）
次に、本発明の第４実施形態によるブラインドの構成を説明する。図１３を参照すると、本発明の第４実施形態によるブラインド４０は、伸縮自在な折り畳み可能な襞付きスクリーン（ハニカムスクリーン）１４と、Ｚ形の断面を形成した一対の縦長のフレーム２４・２４と、を備えている。
【００７６】
図１３を参照すると、スクリーン１４は、六角形の外周を形成した複数の管状部材１４ｔを一方向に連設している。伸縮自在なスクリーン１４を創り出すために、複数の管状部材１４ｔは、一方の天面と他の管状部材１４ｔの底面を互いに結合している。一方の管状部材１４ｔの天面と他の管状部材１４ｔの底面は、例えば、接着により接合されている。
【００７７】
図１３を参照すると、フレーム２４は、ベース部２４１、繋ぎ片２４２、及び、支持片２４３を有している。ベース部２４１は、ねじ部材Ｓｃなどを用いて（図７参照）、開口部Ａｐの縁部に固定できる。繋ぎ片２４２は、ベース部２４１の端部から起立している。支持片２４３は、繋ぎ片２４２の先端部からベース部２４１と反対方向に連続して突出している。
【００７８】
図１３を参照すると、スクリーン１４は、その背面側に複数の切り欠き部１４ｄを有している。これらの切り欠き部１４ｄは、複数の襞Ｐｔを跨いた状態で、スクリーン１４の全長に亘り形成している。一方、フレーム２４は、その支持片２４３が複数の切り欠き部１４ｄと挿通自在に係合している。
【００７９】
図１３を参照すると、切り欠き部１４ｄは、第１挿通部１４ｉと規制手段となる第２挿通部１４ｊを有している。第１挿通部１４ｉは、襞Ｐｔの頂点からスクリーン１４の中心に向かって所定幅で切り欠いている。第２挿通部１４ｊは、第１挿通部１４ｉよりもスクリーン１４の中心寄りに形成すると共に、第１挿通部１４ｉより幅広に形成している。
【００８０】
一方、図１３を参照すると、支持片２４３は、規制手段となる膨大部２４ｅを先端部に形成している。第２挿通部１４ｊと膨大部２４ｅが互いに係合することで、スクリーン１４が所定量以上、室内Ｒｉ側又は室外Ｒｏ側に向けて移動することを規制できる。
【００８１】
図１２と図１３を対比すると、第３実施形態による第２挿通部１３ｊは、略円形で形成しているのに対し、第４実施形態による第２挿通部１４ｊは、矩形に形成しているという違いがある。又、第３実施形態による膨大部２１ｅは、円柱状に形成しているに対し、第４実施形態による膨大部２４ｅは、Ｔ字状に形成しているという違いがある。これにより、スクリーン１４とフレーム２４と係合を容易に解除できないという特徴がある。
【００８２】
［第５実施形態］
（ブラインドの構成）
次に、本発明の第５実施形態によるブラインドの構成を説明する。図１４を参照すると、本発明の第５実施形態によるブラインド５０は、伸縮自在な折り畳み可能な襞付きスクリーン（ハニカムスクリーン）１１と、Ｚ形の断面を形成した一対の縦長のフレーム２５・２５と、を備えている。
【００８３】
図２又は図５及び図６Ａ又は図１４を参照すると、スクリーン１１は、六角形の外周を形成した複数の管状部材１１ｔを一方向に連設している。伸縮自在なスクリーン１１を創り出すために、複数の管状部材１１ｔは、一方の天面と他の管状部材１１ｔの底面を互いに結合している。一方の管状部材１１ｔの天面と他の管状部材１１ｔの底面は、例えば、接着により接合されている。
【００８４】
図１４を参照すると、フレーム２５は、ベース部２５１と支持片２５３を有している。ベース部２５１と支持片２５３は、位置調整手段２５２により連結されている。ベース部２１１は、ねじ部材Ｓｃなどを用いて、その一片を開口部Ａｐの縁部に固定できる。ベース部２１１は、その一片の端部から起立した繋ぎ片２５ｗを備えている。繋ぎ片２５ｗには、後述する支持片２５３の他片２５ｂを導入自在な開口部を有している。
【００８５】
図１４を参照すると、支持片２５３は、一片２５ａと他片２５ｂを略直角に屈曲したアングル部材で構成している。支持片２５３は、規制手段となる円柱状の膨大部２５ｅを一片２５ａの先端部に形成している。
【００８６】
図１４を参照すると、スクリーン１１は、その背面側に複数の切り欠き部１１ｄを有している。これらの切り欠き部１１ｄは、複数の襞Ｐｔを跨いた状態で、スクリーン１１の全長に亘り形成している。一方、フレーム２５は、その支持片２５３の一片２５ａが複数の切り欠き部１１ｄと挿通自在に係合している。
【００８７】
図１４を参照すると、切り欠き部１１ｄは、第１挿通部１１ｉと規制手段となる第２挿通部１１ｊを有している。第１挿通部１１ｉは、襞Ｐｔの頂点からスクリーン１１の中心に向かって所定幅で切り欠いている。第２挿通部１１ｊは、第１挿通部１１ｉよりもスクリーン１１の中心寄りに形成すると共に、第１挿通部１１ｉより幅広に形成している。
【００８８】
図１４を参照して、第２挿通部１１ｊと膨大部２５ｅが互いに係合することで、スクリーン１１が所定量以上、室内Ｒｉ側又は室外Ｒｏ側に向けて移動することを規制できる（図２参照）。
【００８９】
図１４を参照すると、支持片２５３の他片２５ｂは、鋸刃状の歯形を一方の面に形成している。一方、繋ぎ片２５ｗは、支持片２５３の他片２５ｂの歯形を押圧する片持ち状の係止爪を先端部に形成している。
【００９０】
図１４（Ａ）に示した状態から、ベース部２５１に対して、支持片２５３が離反する方向に移動させると（図１４（Ｂ）参照）、係止爪が鋸刃状の歯形を押圧することで、ベース部２５１に対して、支持片２５３の位置を固定できる。
【００９１】
このように、フレーム２５は、スクリーン１１の長手方向に沿って、支持片２５３の位置を調整可能とする位置調整手段２５２を繋ぎ片２５ｗに有している。
【００９２】
（ブラインドの作用）
次に、第５実施形態によるブラインド５０の作用及び効果を説明する。第５実施形態によるブラインド５０は、第１実施形態によるブラインド１０と同様な効果を奏するが、第５実施形態によるブラインド５０は、支持片２５３の位置をスクリーン１１の長手方向に沿って調整可能とすることで、開口部Ａｐとブラインド５０の幅の条件（開口部Ａｐの縁部とスクリーン１１との間の隙間Ｇｐ）に応じて、支持片２５３を切り欠き部１１ｄの位置に合わせて設置することができる、という特別な効果がある。
【００９３】
［第６実施形態］
（ブラインドの構成）
次に、本発明の第６実施形態によるブラインドの構成を説明する。図１５又は図１６を参照すると、本発明の第６実施形態によるブラインド６０は、伸縮自在な折り畳み可能な襞付きスクリーン（プリーツスクリーン）１６と、Ｚ形の断面を形成した一対の縦長のフレーム２１・２１と、を備えている。
【００９４】
図１６を参照すると、矩形の開口部Ａｐには、窓ガラスＷｐが嵌め込まれている。窓ガラスＷｐは、室内Ｒｉ側と室外Ｒｏ側を仕切っている。スクリーン１６は、窓ガラスＷｐと対向するように、室内Ｒｉ側に配置している。そして、スクリーン１６は、山折りと谷折りの襞Ｐｔを矩形のシートの外面に交互に形成している（図１５又は図１６参照）。
【００９５】
図１５又は図１６を参照すると、フレーム２１は、ベース部２１１、繋ぎ片２１２、及び、支持片２１３を有している。ベース部２１１は、ねじ部材Ｓｃなどを用いて（図７参照）、開口部Ａｐの縁部に固定できる。繋ぎ片２１２は、ベース部２１１の端部から起立している。支持片２１３は、繋ぎ片２１２の先端部からベース部２１１と反対方向に連続して突出している。
【００９６】
図１５又は図１６を参照すると、スクリーン１６は、その一端部を支持部材となるヘッドボックスＢｈが支持している。又、スクリーン１６は、その他端部にボトムレールＲｂを取り付けている。スクリーン１６を拡げると、矩形の開口部Ａｐを閉鎖できる。ヘッドボックスＢｈに向って、スクリーン１１を折り畳むと、開口部Ａｐを開放できる。
【００９７】
図１を類推すると、一対のフレーム２１・２１は、スクリーン１６の端縁と開口部Ａｐの縁部との隙間Ｇｐを閉鎖できる。又、図５を参照すると、一対のフレーム２１・２１は、ヘッドボックスＢｈの端面と開口部Ａｐの縁部との隙間を閉鎖している。これにより、スクリーン１６を拡げた状態では（図１６参照）、ブラインド６０は、窓ガラスＷｐなどの開口部Ａｐから通過する光又は熱エネルギーを効果的に遮断できる。
【００９８】
図１５を参照すると、スクリーン１６は、その背面側に複数の切り欠き部１６ｄを有している。これらの切り欠き部１６ｄは、複数の襞Ｐｔを跨いた状態で、スクリーン１６の全長に亘り形成している。一方、フレーム２１は、その支持片２１３が複数の切り欠き部１６ｄと挿通自在に係合できる（図１６参照）。
【００９９】
図１５を参照すると、第６実施形態によるブラインド６０は、スクリーン１１の背面側には、襞Ｐｔを跨ぐようにスクリーン１６の全長に亘って複数の切り欠き部１６ｄを形成している。そして、これらの切り欠き部１６ｄにフレーム２１の一部（支持片２１３）を挿通させることで、スクリーン１６の端縁と開口部Ａｐとの間からの光漏れや熱の流出入を防止し、かつ、スクリーン１６の端縁の破損を防止できる。
【０１００】
又、図１５又は図１６を参照すると、第６実施形態によるブラインド６０は、スクリーン１６が風に煽られても、手前側に外れたスクリーン１６を奥側に戻すだけで、フレーム２１の一部（支持片２１３）を切り欠き部１６ｄに挿通する状態に戻すことができる。
【０１０１】
図１５を参照すると、切り欠き部１６ｄは、第１挿通部１６ｉと規制手段となる第２挿通部１６ｊを有している。第１挿通部１６ｉは、襞Ｐｔの頂点からスクリーン１６の中心に向かって所定幅で切り欠いている。第２挿通部１６ｊは、第１挿通部１６ｉよりもスクリーン１６の中心寄りに形成すると共に、第１挿通部１６ｉより幅広に形成している。
【０１０２】
一方、図１５を参照すると、支持片２１３は、規制手段となる膨大部２１ｅを先端部に形成している。図１５又は図１６を参照して、第２挿通部１６ｊと膨大部２１ｅが互いに係合することで、スクリーン１６が所定量以上、室内Ｒｉ側又は室外Ｒｏ側に向けて移動することを規制できる。
【０１０３】
（ブラインドの作用）
次に、第６実施形態によるブラインド６０の作用及び効果を説明する。図１６を参照すると、第６実施形態によるブラインド６０は、スクリーン１６の背面側には、襞Ｐｔを跨ぐようにスクリーン１６の全長に亘って複数の切り欠き部１６ｄを形成している。そして、これらの切り欠き部１６ｄにフレーム２１の一部（支持片２１３）を挿通させることで、スクリーン１６の端縁と開口部Ａｐとの間からの光漏れや熱の流出入を防止し、かつ、スクリーン１６の端縁の破損を防止できる。第６実施形態によるブラインド６０は、支持片２１３の先端部と切り欠き部１６ｄは、互いに係合し、スクリーン１６が所定量以上、室内Ｒｉ側又は室外Ｒｏ側に向けて移動することを規制する規制手段を有しているので、スクリーン１６の伸張長さが決定し、襞Ｐｔ間のピッチ（プリーツピッチ）を上下方向で均一化できる。
【０１０４】
第６実施形態によるブラインド６０は、第１実施形態によるブラインド１０と同様の効果を奏するが、第１実施形態によるブラインド１０が内部に空洞を有するハニカムスクリーンで構成しているのに対し、第６実施形態によるブラインド６０は、蛇腹状の襞を形成したプリーツスクリーンで構成している、という違いがある。
【０１０５】
本発明によるブラインドは、鉛直方向に折り畳み可能な横型ブラインドを開示したが、本発明によるブラインドは、水平方向に折り畳み可能な縦型ブラインドにも適用できる。又、本発明によるブラインドは、窓ガラスの室内側だけでなく、室内空間の仕切りに形成される開口部に設置することもできる。又、本発明によるブラインドに備わるフレームは、Ｚ形の断面を形成したチャンネル部材を開示したが、繋ぎ片と支持片を一体にした湾曲部材で構成することもできる。
【符号の説明】
【０１０６】
１０  ブラインド
１１  スクリーン
１１ｄ  切り欠き部
２１  フレーム
２１３  支持片（フレームの一部）
Ａｐ  開口部
Ｂｈ  ヘッドボックス（支持部材）
Ｐｔ  襞
Ｒｉ  室内
Ｒｏ  室外
【図１】
2020105737.tif 000003
【図２】
2020105737.tif 000004
【図３】
2020105737.tif 000005
【図４】
2020105737.tif 000006
【図５】
2020105737.tif 000007
【図６Ａ】
2020105737.tif 000008
【図６Ｂ】
2020105737.tif 000009
【図７】
2020105737.tif 000010
【図８】
2020105737.tif 000011
【図９】
2020105737.tif 000012
【図１０】
2020105737.tif 000013
【図１１】
2020105737.tif 000014
【図１２】
2020105737.tif 000015
【図１３】
2020105737.tif 000016
【図１４】
2020105737.tif 000017
【図１５】
2020105737.tif 000018
【図１６】
2020105737.tif 000019
【図１７】
2020105737.tif 000020
【図１８】
2020105737.tif 000021